(57)【特許請求の範囲】
【請求項１】
概ね縦置きのクランクシャフトと、概ね横置きのシリンダ、ピストンを備え、燃焼室への吸気口を備えるエンジンと、該エンジンを収容する空間を形成し、外気取入口を有するエンジンカバーとからなる船外機であって、
前記クランクシャフトの上部に回転体を含む発電機を設け、該回転体の天井部には外気を取り入れる外気導入部を設けるとともに、該発電機の回転体を回転体カバーで覆い、
回転体カバーの上には、前記エンジンカバーの空気取入口から取り入れた外気をエンジンの燃焼室の吸気口へ導く吸気案内手段を設けて空気案内通路を形成し、
前記吸気案内手段による吸気案内通路以外に設けられた回転体カバーの発電機冷却風通路を備え、
前記吸気案内通路の先には燃焼室の吸気口に繋がる吸気装置を備え、
前記吸気装置は下向きの吸入口を備え、該吸気装置の突出上部は、前記吸気案内通路の先に突出して燃料供給装置に前記発電機の冷却後の冷却風が流れるのを防止するようにした、
ことを特徴する船外機。
【請求項２】
前記回転体カバーの天蓋部には空気導入孔を備えることを特徴とする請求項１記載の船外機。
【請求項３】
前記回転体カバーの周壁の一部で電装品を回避した部位には、回転体カバーに導入した冷却風の排出部を備えることを特徴とする請求項２記載の船外機。
【請求項４】
前記エンジンはカムシャフト伝動機構をエンジン上部に備え、該カムシャフト伝動機構は密閉カバーで覆われており、前記発電機は該密閉カバーの上方に配設されており、前記回転体カバーは該密閉カバーの上方に配設され、該回転体カバーで発電機への潤滑油の侵入を防止するようにしたことを特徴とする請求項１〜請求項３の何れか１項に記載の船外機。
【発明の詳細な説明】
【技術分野】
【０００１】
本発明は、クランクシャフト縦置きのバーチカルエンジンを備える船外機において、発電機を周囲から区画してカバーで覆った際、発電機の冷却を効率良く行うことができるようにした船外機に関するものである。
【背景技術】
【０００２】
船外機のエンジンはクランクシャフト縦置きで、シリンダ、ピストンが横向きの所謂バーチカルエンジンが採用され、該エンジンの周囲をエンジンカバーで覆い、エンジンカバーにはエンジン冷却用及びエンジン吸入用の外気取入口を備える構造である。
エンジンの上部には発電機（ＡＣＧ）が配設され、発電機はカバーで覆われ、冷却風をカバー内に導入し、発電機を冷却している。
【０００３】
従来、船外機のエンジンに付設される発電機の冷却構造が知られている（例えば、特許文献１参照。）。
【特許文献１】特開平８−１００６４７号公報
【０００４】
特許文献１は、船外機におけるバーチカルエンジンの回転体用カバー構造等に係り、ここで開示されている技術は、発電機を覆うカバーに換気用吸入口を設け、吸入口からエンジンブロック周囲の空気をカバー内に取り入れる構造である。
特許文献１では、図２明示のように、エンジン上方に突設される駆動、被動のカムシャフトプーリと発電機及びその回転体とが連通するカバーで覆われており、発電機とカムシャフト伝動機構とは共通の連通した空間内に配置されている。
【０００５】
以上の特許文献１の技術は、換気用吸入口により、エンジンブロック周囲の空気をカバー内に冷却風として取り入れる構造ではあるが、回転体カバー内に取り入れられる空気はエンジンブロック周囲の暖まった空気であり、回転体の冷却を効率的に行うには好ましくなく、発電機をより積極的に、効率良く冷却するには、エンジンブロック周囲の空気温度よりも低い温度の空気を冷却風として導入することが好ましい。
【０００６】
ところで、船外機のエンジンにおいて、クランクシャフトとカムシャフトとの間のベルトに代わり、チェーン・スプロケット機構を用いたチェーン伝動機構が採用される場合もある。
チェーン伝動機構を採用した場合、チェーン・スプロケットはその潤滑油の周囲への飛散、特に発電機への影響を防止するため、密閉状態にカバーされるが、クランクシャフト上の発電機やその回転体は、飛散するオイルとの接触及び拡散を避けるため、カバーで画成されたチェーン室の外側に設けられる。
従って、このような形式のエンジンでは、カバー体はチェーン室を区画形成するものと、大径の回転体を覆うものとの２部品で形成する必要がある。
【０００７】
このような構造とした場合、発熱する発電機を回転体を含んで密閉されたカバーで覆う必要があり、発電機周囲を密閉カバーで覆うので、発電機の効率の良い、効果的な冷却は難しくなる。
本発明は、発電機の回転体を覆うカバーの以上の問題点に鑑み、これを解決すべくなされたものである。
【発明の開示】
【発明が解決しようとする課題】
【０００８】
本発明は、回転体を含む発電機をカバーで覆った際、エンジンの吸気温度への影響を抑えつつ、発電機の冷却を効率良く、効果的に行うことが可能となった船外機を提供することを課題とし、又回転体を含む発電機を、カムシャフトの伝動機構としてチェーン伝動機構を採用し、チェーン伝動機構の採用に伴う潤滑油の漏洩、飛散を防止する防止カバーを設け、このカバー上に発電機を設置した場合に、カバーが密閉状態に近くなり、密閉カバー状態においても発電機の冷却を効率的に、効果的に行い、且つ発電機冷却後の排風を電子機器への影響を防止するようにした船外機をも提供することを課題とする。
【課題を解決するための手段】
【０００９】
請求項１に係る発明は、概ね縦置きのクランクシャフトと、概ね横置きのシリンダ、ピストンを備え、燃焼室への吸気口を備えるエンジンと、該エンジンを収容する空間を形成し、外気取入口を有するエンジンカバーとからなる船外機であって、クランクシャフトの上部に回転体を含む発電機を設け、該回転体の天井部には外気を取り入れる外気導入部を設けるとともに、該発電機の回転体を回転体カバーで覆い、回転体カバーの上には、エンジンカバーの空気取入口から取り入れた外気をエンジンの燃焼室の吸気口へ導く吸気案内手段を設けて空気案内通路を形成し、吸気案内手段による吸気案内通路以外に設けられた回転体カバーの発電機冷却風通路を備え、吸気案内通路の先には燃焼室の吸気口に繋がる吸気装置を備え、吸気装置は下向きの吸入口を備え、該吸気装置の突出上部は、吸気案内通路の先に突出して燃料供給装置に発電機の冷却後の冷却風が流れるのを防止するようにしたことを特徴する。
【００１０】
請求項２に係る発明は、請求項１において、前記回転体カバーの天蓋部には空気導入孔を備えることを特徴とする。
【００１１】
請求項３に係る発明は、請求項２において、回転体カバーの周壁の一部で電装品を回避した部位には、回転体カバーに導入した冷却風の排出部を備えることを特徴とする。
【００１２】
請求項４に係る発明は、請求項１〜請求項３の何れか１項において、エンジンはカムシャフト伝動機構をエンジン上部に備え、該カムシャフト伝動機構は密閉カバーで覆われており、発電機は該密閉カバーの上方に配設されており、回転体カバーは該密閉カバーの上方に配設され、該回転体カバーで発電機への潤滑油の侵入を防止するようにしたことを特徴とする。
【発明の効果】
【００１３】
請求項１に係る発明では、概ね縦置きのクランクシャフトと、概ね横置きのシリンダ、ピストンを備え、燃焼室への吸気口を備えるエンジンと、該エンジンを収容する空間を形成し、外気取入口を有するエンジンカバーとからなる船外機であって、クランクシャフトの上部に回転体を含む発電機を設け、該回転体の天井部には外気を取り入れる外気導入部を設けるとともに、該発電機の回転体を回転体カバーで覆い、回転体カバーの上には、エンジンカバーの空気取入口から取り入れた外気をエンジンの燃焼室の吸気口へ導く吸気案内手段を設けて空気案内通路を形成し、吸気案内手段による吸気案内通路以外に設けられた回転体カバーの発電機冷却風通路を備え、吸気案内通路の先には燃焼室の吸気口に繋がる吸気装置を備え、吸気装置は下向きの吸入口を備え、該吸気装置の突出上部は、吸気案内通路の先に突出して燃料供給装置に発電機の冷却後の冷却風が流れるのを防止するようにしたので、回転体カバーに設けた発電機冷却風通路から供給される冷却風はエンジンブロック周囲の空気とは異なり、外気を吸気側に効率良く導くことができるとともに、発電機へも効率良く、効果的に外気を導入することができ、発電機の冷却性が向上する。
また、発電機の冷却後の風は吸気装置の突出上部で遮蔽され、吸気装置及びこの出口である外気導出口に接続されるスロットルボディ（燃焼供給装置）に、発電機の冷却後の風が流れることを防止することができる。
【００１４】
請求項２に係る発明では、請求項１において、前記回転体カバーの天蓋部には空気導入孔を備えるので、請求項１の効果に加えるに、エンジン吸気口へ導かれる外気を効率良く、効果的に回転体カバー内に導入することができ、発電機の冷却性が一層向上する。
【００１５】
請求項３に係る発明では、請求項２において、回転体カバーの周壁の一部で電装品を回避した部位に、回転体カバーに導入した冷却風の排出部を備えるようにしたので、請求項２の効果に加えるに、発電機冷却後の排風は電装品にかかることを防止し、電装品の保護上有利である。
【００１６】
請求項４に係る発明では、請求項１〜請求項３の何れか１項において、エンジンには密閉カバーで覆われたカムシャフト伝動機構を上部に備え、回転体を含む発電機は密閉カバーの上方に配設され、回転体カバーで発電機への潤滑油の侵入を防止するようにしたので、請求項１〜請求項３の何れか１項の効果に加えるに、発電機の冷却は難しくなるが、エンジン吸気口の吸気通路以外に、回転体カバーの発電機冷却風通路を設け、回転体カバー内に冷却風を取り入れる冷却風取入部を備えるので、発電機を密閉カバーで保護しつつ、発電機の冷却を効率良く、効果的に行うことができる。
【発明を実施するための最良の形態】
【００１７】
本発明を実施するための最良の形態を添付図に基づいて以下に説明する。なお、図面は符号の向きに見るものとする。
図１は、船外機の全体を示す側面図であり、内部機構の主なものを破線で示した図である。
１は船外機であり、図の右側の矢印Ｆｒで示した方向を推進方向の前方とし、左側の矢印Ｒｒで示した方向を後方とし、上部に配置したエンジン２をエンジンカバー３０で覆っている。
【００１８】
エンジン２は、シリンダ、ピストンが略水平（横向きと記す）で、クランクシャフト略縦向き（縦置きと記す）の４ストローク複数気筒エンジンである。
エンジン２は、後方にシリンダヘッドカバー３ｂを備え、燃焼室３ａを内頂部に有するシリンダヘッド３、シリンダ４ａ、ピストン４ｂを備える中間部のシリンダブロック４、クランクシャフト５ａを内装した前方のクランクケース５を備える。
【００１９】
エンジン２のクランクケース５の前側方には吸気サイレンサを含むエンジン吸気装置６が配設され、エンジン吸入口に空気（新気）を導入する。
又エンジンの吸気サイレンサ６を設けた側には、エンジンの点火制御、或いは燃料噴射装置の制御を行う電子制御装置等の電装品基板を有する電装箱７が設けられている。
エンジン２の下部には、マウントケース８ａが配設され、マウントケース８ａでエンジンを支持し、マウントケース８ａの下面に結合するオイルケース８ｂ内にオイルパン８ｃが配設されている。
エンジン２の周りは、エンジンカバー３０で覆われており、エンジンカバー３０は上下２分割カバーで構成され、上カバー３１、下カバー３５とからなり、前後のロック機構１５，１５で上下のカバー２１，２５は開閉自在に一体化されている。
【００２０】
クランクシャフト５ａは前記したように縦向きに配設されており、下端部にフライホイール５ｂを備えるとともに、下方に垂下された駆動軸９に連結されており、駆動軸９は、下カバー３５の下方に延設されたエクステンションケース１０内を縦通し、エクステンションケース１０の下端部に固着されたギヤケース１１内のギヤ伝達機構１２に連結されている。
【００２１】
ギヤ伝達機構１２は、駆動軸９の動力を、ギヤケース１１内において前後方向を向いて配置された水平な被動軸１２ａに伝え、被動軸１２ａの後端部はギヤケース１１の後部から後方に突出し、後端部にプロペラ１３が固着され、エンジン２の動力でプロペラ１３を駆動し、一対のドグクラッチで切り換えることで、プロペラの正逆回転を切り換え、前進又は後進の推進力を得る。
尚、図面中１４は、船の船尾に船外機を着脱自在に取り付けるスターンブラケットである。
【００２２】
図２は、本発明に係る船外機の上部の縦断側面図、図３は、同縦断正面図、図４は、船外機の平面図、図５は、エンジンカバーを破断して示した平面図、図６は、発電機の回転体カバーを取り外した状態の平面図、図７は、チェーン駆動機構カバーを取り外した平面図、図８は、吸気サイレンサをインレットマニホールド側のスロットル弁装置に組み付ける状態を示す船外機のエンジン部の前面側の斜視図である。
そして図９〜図１１は回転体カバー単体を示し、図９は後方から見た斜視図で、図１０は前方から見た斜視図、図１１は、縦断側面図である。
これらの図面を参照しつつ詳細に説明する。
【００２３】
図２において、図の右側は船外機の前方（Ｆｒ）であり、左側は後方（Ｒｒ）であり、エンジン２は前方からクランクケース５、シリンダブロック４、シリンダヘッド３、シリンダヘッドの後面を覆うシリンダヘッドカバー３ｂを有する。
エンジンブロック上面２ａで、シリンダブロック４とクランクケース５の境界部の上方にクランクシャフト５ａの上部５ｂが突出しており、クランクシャフト５ａの突出部の下部には駆動スプロケット１６が固着されている。
【００２４】
一方、シリンダヘッド３内に縦に設置されたカムシャフト３ｃ（図１参照）のエンジンブロック上面２ａから突出させた上端部３ｄには、被動スプロケット１７を固着する。
これらの駆動・被動の各スプロケット１６，１７間にはチェーン１８を巻回し、図４及び図７で示したようにチェーン１８の両側にスリッパ状のガイド１９，１９を備えるカムシャフト駆動用のチェーン駆動機構２０（チェーン伝動機構）を構成する。
【００２５】
クランクケース５の上部５ｂであって、前半部５ｃの上部には、側面視がＬ形となるように一段低い凹段部５ｄを形成する。
即ちクランクケース５は、クランクシャフトの最上位の軸受に対応した小径部をなす後壁部５ｆと、その軸受直下のクランクウエブの回転に対応し、クランク室の一部を形成する前端壁部５ｇと、後壁部５ｆと前端壁部５ｇとを繋ぐ水平な横壁部５ｅとを有し、凹段部５ｄを構成する。
【００２６】
以上のエンジン２の上面２ａ上に配設されるサイレントチェーンによるチェーン駆動機構２０は潤滑を必要とするため、潤滑油は周囲に飛散する虞がある。
そこで、エンジン２の上面２ａ上において、カムシャフトのチェーン駆動機構２０の周囲をチェーン駆動機構ケース又はカバー４０（以下に第１カバーと記す）で覆う。
第１カバー４０は、後部の被動スプロケット１７側が後方に開放４０ａし、開放部４０ａを前記したシリンダヘッドカバー３ｂの上部３ｅに設けたコ字形部３ｆで後方から塞ぎ、コ字形部３ｆとの当接部をＯリング４１でシールした。
【００２７】
第１カバー４０の後部４０ｂは、スプロケット１７が位置するので一段高く設定し、これに続く中間部〜前部を一段低く設定し、前端部４０ｄを下向きに逆Ｌ形に垂下し、垂下部は後方の開放部４０ａを除いて全周に亘り縁部４０ｃとして形成し、前部にはオイルシール４２でシールした縦通孔を設け、縦通孔を通してクランクシャフト５ａの上部５ｂがカバー４０上に突出する。
第１カバー４０の前端部の折曲、垂下された縁部４０ｃは、クランクケース５の凹段部５ｄの上端部で、エンジンブロック上面２ａのこの側の前端部（クランクケースの高い部分の前端部）に当接しており、これによりチェーン駆動機構２０を全面的に、密閉するカバーを構成する。
【００２８】
前記第１カバー４０上に突出するクランクシャフト５ａの上部５ｂには、発電機５０（交流発電機。ＡＣＧ）を配設する。発電機５０は、クランクシャフトに固着され、内周に磁石５１ａを固着した回転体５１と、鉄心５２ｂにコイル５２ａを巻き付けた発電用コイル５２とからなる。
【００２９】
実施例では、円盤状の回転体５１の外周には、リコイルスタータ用のフランジ５３が固着されており、ＡＣＧの回転体５１の外周に設けたリコイルスタータ用フランジ５３は、クランクケース５の凹段部５ｄの上方に一部が臨むように径方向外方に膨出している。この膨出部上方の空間（隙間）を図２のＡとして示した。
【００３０】
逆カップ状の回転体５１の天井部５１ｂには、図６で示したように回転体内部に外気を取り入れる外気導入部５４…を設け、外気導入部５４…は放射状に複数個設けるものとする。
以上の回転体５１は、図６において時計方向（矢印ａ方向）に回転し、外気の入り口５４ａを回転方向に向かうように形成し、外気導入部５４から回転体５１の内部に外気を導入し、内部の発電機の主要部を導入冷却風で冷却する。
【００３１】
前記した吸気サイレンサ６は、図２、図５、図６、図７に示すようにエンジンカバー３０内においてエンジン２の前方部、即ちクランクケース５の前方部分に配設されている。
吸気サイレンサは、図３、図５、図６、図７に示すように、船外機の右舷側に配設されており、図２に示すように、側面視においてエンジン２の前記クランクケース５前半部上部に形成した凹段部５ｄ側（後方）に突出する突出上部６ａを有する。
【００３２】
突出上部６ａは、吸気サイレンサ６の後半部６ｂが後方に突出し、凹段部５ｄ上と凹段部５ｄ上方に臨む回転体５１のリコイルスタータ用フランジ５３との間の空間Ａに臨み、発電機５０の前部下方を塞ぐように構成される。
従って、発電機５０の冷却後の風は吸気サイレンサ６の突出上部６ａで遮蔽され、吸気サイレンサ６及びこの出口である外気導出口に接続されるスロットルボディ（燃焼供給装置）に、ＡＣＧ５０の冷却後の風が流れることを防止することができる。
【００３３】
吸気サイレンサ６は、図２に示すように、中間部にエンジンカバー内（エンジンルーム内）に外気を取り入れる外気取入用の吸入口６ｃを備え、下部に外気（新気）の排出口である導出口６ｄ（図８参照）を備える。
吸気サイレンサ６は、導出口６ｄを介してスロットルボディ２１の上流側の吸入口に接続されており（図３、図５、図６、図７及び図８参照）、スロットルボディ２１の下流側は、シリンダヘッド３の燃焼室３ａ（図１参照）に下流部２２ａを接続したインレットマニホールド２２の上流部２２ｂに接続されている。
インレットマニホールド２２は、図５、図６、図７で明らかなように、エンジン２の左側を通って後部から前方に延設されている。
【００３４】
エンジンカバー３０の上カバー３１は、上面３１ａの後半部３１ｂに前後方向を向き、後方に開放された凹部３２を備え、凹部３２の前後方向の中間部に上向きに開口する外気取入口３３を備え、外気取入口３３は実施例では図４に示したように平面視略五角形の筒状をなす。
上カバー３１の上面３１ａは、外気取入口３３の後方に臨む前半部３１ｃの部分で高くなっていて上方に膨出し、前半部３１ｃの前端部は緩やかに下方に湾曲して傾斜し、前壁部３１ｄに合流し、又上面３１ａの後端部は後壁３１ｅと合流し、周壁として上面周囲を囲んでいる。
【００３５】
上面３１ａの後半部３１ｂに形成した凹部３２の上を覆うように蓋であるリッド３４を設け、リッド３４は脚部３４ａ…で上面３１ａの後半部３１ｂの外気取入口３３の周囲に取り付け、支持されている。
上記リッド３４の後端部３４ｂと凹部３２との間には、外気取り入れ用の隙間Ｓが形成され、この隙間Ｓから外気取入口３３を介して、エンジンカバー３０内に外気を取り入れる。リッド３４と凹部３２との間で、エンジンルームの外気取入口を構成する。
【００３６】
以上のＡＣＧ５０の回転体５１の周囲を回転体カバー６０（以下に第２カバーと記す）で覆う。
第２カバー６０の単体は図９〜図１１に示す通りである。
回転体を覆う第２カバー６０は、エンジンカバー３０内に取り入れる外気の案内手段、整流及びＡＣＧ５０をエンジンルーム内の環境から保護する機能を有するものである。
【００３７】
第２カバー６０は逆キャップ状の本体６１を有し、本体６１は円盤状で湾曲屋根状の天蓋部６２と、これの下端部周から下方に垂下した周壁部６３とを一体に連続して備える。
周壁部６３の下端の外縁には、複数の上向きＵ形の係止部６４…や、下向きＵ形の係止部６５を一体に設け、上向き係止部６４でカム室と吸気サイレンサとを貫通するブリーザーホースを支持する。下向きＵ形係止部６５は、エンジンブロックの凸起（不図示）とけいごうする貫通孔を有するグロメット６５ｂとともに、第２カバー６０をエンジンブロックに固定するためのものである。
【００３８】
天蓋部６２の一部の下端部と周壁部６３との間には棚面部６６を後方に延設する。
棚面部６６は、実施例では平面視が直角三角形類似の板状体で構成され、板状体には後方に開放した複数条の凹凸部６６ａ…を備える。
棚面部６６の前端部は天蓋部６２に連続し、上方に湾曲した天蓋部６２の幅方向中間部の上面６２ａと連続面を構成し、水平な棚面部５６から天蓋部５２の上面に棚面部５６の上面５６ａは連続している（図９、図１１参照）。
【００３９】
天蓋部５２の外周で、前記した棚面部６６の反対側には棚面部６７を前方に突設し、この前方に延出した棚面部６７を下流側棚面部と記し、前記した後方に延出した棚面部６６を上流側棚面部と記した。
棚面部６６，６７は、上流側棚面部６６が前後方向に長く、下流側棚面部６７は短く、棚面部６７の上面６７ａは平坦であり、上面６７ａは天蓋部６２に連続し、上方に湾曲した天蓋部６２の幅方向中間部の前記した上面６２ａと連続面を構成する。
この下流側棚面部６７、天蓋部６２の上面６２ａ、上流側棚面部６６で連続したエンジンカバー３０内に取り入れら外気（空気）の案内面を構成する。
【００４０】
天蓋部６２前後の棚面部６６，６７、天蓋部６２の上面の両側部には、側部案内面を構成する板状の案内壁６８，６９を起立設置する。
案内壁６８，６９は、一方６８は、上流側棚面部６６の斜辺部６６ｂの前部で天蓋部６２と合流する部分から始まり、この部分から少し立ち上がって立上部６８ａとし、これの前端部から斜め上方に上傾する斜辺６８ｂとし、この部分から前方に延出して若干前方に緩やかに下傾した壁部前半部６８ｃとし、下流側棚面部６７の側部にまで延びて起立して配設される。
【００４１】
他方の案内壁６９は、上流側棚面部６６の直線状の辺６６ｃから始まる低い上流部６９ａと、天蓋部上面６２ａの前端部から直立し、前方に延びる高い壁部６９ｂとを備え、壁部６９ｂは、下流側棚面部６７の一側まで設置されている。
以上の左右の案内壁６８，６９は、左右で形状、高さ、前後方向の長さが非対称である。
【００４２】
以上の案内壁６８，６９は概ね左右で平行に設けられており、図５で明らかなように、全体として上流側が左側（図５の上方）に少し偏り、下流側が少し右側（図５の下方）に偏っている。
ところで、天蓋部６２の左右の案内壁６８，６９で囲まれた上面６２ａを除く左右の部分の上面６２ｂ，６２ｃには、天蓋部６２の中心から放射状に複数の長孔を上下に貫通するように設け、本体６１内への空気導入孔７０…を形成する。
以上の上流側棚面部６６、下流側棚面部６７、左右の案内壁６８，６９、この間の上方に湾曲した天蓋部６２の上面６２ａで吸気案内手段を構成する。
【００４３】
また、本体６１の周壁部６３の一側部、具体的は左側（図３で紙面表裏方向の手前が船外機の前方なので右側、図５で右側が前方なので上方）には、外方に概ね角形に膨出するダクト部７１を設ける。
ダクト部７１は反対側から示した斜視図の図１０、縦断側面図である図１１で明示されており、周壁６３のこの面の内面６３ａの前後方向中間部に外方に膨出するように形成されており、膨出したダクト部７１は、上面７１ａ、前後の面７１ｂ、７１ｃが閉じ、下方が開放７１ｄされている。
【００４４】
これにより、本体６１の天蓋部６２内と連通し、周壁部６３の一部から外方に膨出し、下方に開放部７１ｄでエンジンカバー内（エンジンルーム内）に開放されたダクト部７１を本体６１の一側部に一体に形成した。
第２カバー６０内に冷却風取入部７０…からエンジンカバー３０内に取り入れられた外気を内部に取り入れ、外気は、発電機５０の回転体５１の上面に設けた外気導入部５４…から発電機５０内に導入され、発電機５０の発熱部を冷却し、ダクト部７１等からエンジンルーム内に排出される。
【００４５】
以上の第２カバー６０をエンジンブロックに取り付け、固定し、前記した第１カバー４０上に突出した発電機５０上方に被せ、発電機５０を外側から覆う。回転体５１を含む外側は、第２カバー６０の本体６１で覆われ、エンジンカバー３０の上カバー３１内の中間部〜前半部３１ｃの天井下方に空間を空けて位置する。
上流側棚面部６６はエンジンカバー３０の上カバー３１の後半部に設けた外気取入口３３の下方に位置し、案内壁６８，６９、上流側棚面部６６、天蓋部６２ｂの上面６２ａ、下流側棚面部６７は、エンジンカバー内の上部において上流側（船外機の後方）から下流側（船外機の前方）に向けて空気案内通路７２（図２参照）を形成する。
吸気案内通路７２で吸気案内手段による吸気通路を構成する。
【００４６】
第２カバー６０の上流側においては、本体６１の前部（空気案内通路７２の上流側である前部）が、吸気サイレンサ６のクランクケース５前半部上部に形成した凹段部５ｄ側（後方）に突出する突出上部６ａ上に少しの隙間をもって臨む。
第２カバー６０の本体６１の前端部の上流側棚面部６７は、吸気サイレンサ６の凹段部５ｄ側（後方）に突出する突出上部６ａの上方から、上面部６ｅの中間部の上方にまで少しの隙間をもって位置する（図２参照）。
【００４７】
以上の第２カバー６０の本体６１の側方に膨出して設けたダクト部７１は、図３及び図５に示したように、エンジン２の上方において左側に位置するように設けられており、ダクト部７１は、エンジン２の右側に配設される電装品７の設置部位とは反対側に設けられる。
ダクト部７１の開放部７１ｄの下方には、エンジンの吸気通路を構成するインレットマニホールド２２の上方に位置するように配設する。
【００４８】
第２カバー６０内に導入された冷却空気（冷却風）で発電機５０は冷却され、冷却後の温風はダクト部７１の下方の開放部７１ｄから排出され、制御基盤を有する電装箱７とは反対側に冷却後の温風を排出するので、制御基盤を有する電装箱７への発電機５０の冷却後の排風の熱影響を防止することが出来る。
また、第２カバー本体６１の前部から吸気サイレンサ６の上面にかけて回転体５１の下面及び第２カバー６０の本体６１の前部に設けた上流側棚面部６７が臨み、吸気サイレンサ６の前面部６ｆにかけて空気案内壁が構成され、吸気サイレンサ６とエンジンのクランクケース５との間への発電機冷却後の温風の流れを可級的に防止する。
【００４９】
以上の第２カバー６０の天蓋部６２に設けた本体６１内への空気導入孔７０…、本体内部の空間、排出部であるダクト７１、本体前部の回転体下方に開放され、吸気サイレンサ６の上面と上流側棚面部６７の下面とにより、回転体カバーの発電機冷却風通路が構成される。
【００５０】
図１２は、エンジンカバー内に取り入れた空気の流れを示す説明図であり、構成要素は代表的なものにのみ符号を付した。
外の空気は、エンジンカバー３０の上カバー３１の後半部に設けたリッド３４と凹部３２との間の空間Ｓ（外気取入口）からリッド３４と凹部３２との間に矢印（ａ）のように侵入する。
侵入した空気は、空気取入口３３からエンジンカバー内矢印（ｂ）のように侵入し、取入口２３の直下の第２カバー６０の上流側棚面部６６に突き当たる。
【００５１】
上流側棚面部６６に当たった空気は矢印（ｃ）方向に流れ、左右の案内壁６８，６９で規制され、上流側棚面部６６、天蓋部６２の上面６２ａ、下流側棚面部６７等で構成される空気案内通路７２に案内され、エンジンカバーの上カバー３１の天井面との間を進んで矢印（ｄ）のように整流されて流れる。
この空気流は、エンジンカバーの上カバー３１の前端部内に湾曲コーナー部に案内され、前面部の内壁に沿って下方に流れる。
この先に、吸気装置を構成する吸気サイレンサ６が臨み、吸気サイレンサ６の下向き吸入口６ｃから空気は吸入され、燃料供給装置であるスロットルボディ内に新気として供給される。
【００５２】
ところで、エンジンカバー内に取り入れられた空気は、前記した矢印（ａ）、（ｂ）、（ｃ）、（ｄ）のように流れるが、外気取入口３３の下方において棚面部６６の後方が開放していることと、左右の案内壁６８，６９が左右非対称なので、天蓋部６２の左右の上面にも流れる。
ところで、本体６１内で発電機５０の回転体５１は回転しており、回転体５１の上面に設けた空気導入ガイド部５４…の作用で、天蓋部６２に設けた空気導入孔７０…から、天蓋部６２の左右の上面の流れから空気を発電機５０の内部に吸入する。
【００５３】
天蓋部６２に設けた空気導入孔７０…から吸入された外気は、回転体５１の空気導入ガイド部５４…を通して発電機５０内に導入され、発電コイル等の発熱源を冷却する。
冷却後の温風からなる排風は、一部が第２カバー６０の側方のダクト部７１から下方のインレットマニホールド２２に上から放出される。
また、発電機５０の前部の排風は、吸気サイレンサ６のクランクケース５前半部上部に形成した凹段部５ｄ側（後方）に突出する突出上部６ａ及び吸気サイレンサの上面を通って排出される。
【００５４】
そして、空気案内通路７２の下流方向に流れる空気（矢印（ｃ））は、下流側棚面部６７の上面を通って吸気サイレンサ６と上カバー３１の前壁内面との間を通り、下方に案内され、吸気サイレンサ６の吸入口６ｃから吸入される。
【産業上の利用可能性】
【００５５】
本発明に係る船外機は、船外機に付設した発電機の冷却に好適である。
【図面の簡単な説明】
【００５６】
【図１】船外機の全体を示す側面図であり、内部機構の主なものを破線で示した図である。
【図２】本発明に係る船外機の上部の縦断側面図である。
【図３】本発明に係る船外機の上部の縦断正面である。
【図４】本発明に係る船外機の平面図である。
【図５】本発明に係る船外機のエンジンカバーを破断して示した平面図である。
【図６】本発明に係る船外機のエンジン部分の平面図で、発電機の回転体カバーを取り外した状態の平面図である。
【図７】本発明に係る船外機のエンジン部分の平面図で、チェーン駆動機構カバーを取り外した状態の平面図である。
【図８】吸気サイレンサをインレットマニホールド側のスロットル弁装置に組み付ける状態を示す船外機のエンジン部の前面側の斜視図である。
【図９】回転体カバー単体を後方から見た斜視図である。
【図１０】回転体カバー単体を前方見た斜視図である。
【図１１】回転体カバー単体の縦断側面図である。
【図１２】エンジンカバー内に取り入れた空気の流れを示す説明図である。
【符号の説明】
【００５７】
１…船外機、  ２…エンジン、  ３ａ…カムシャフト、  ４ａ…シリンダ、  ４ｂ…ピストン、  ５ａ…クランクシャフト、  ６ｃ…エンジン吸気口である吸気サイレンサの吸入口、  ７…電装品、  １６，１７，１８…カムシャフト伝動機構、  ３３…エンジンカバーの外気取入口、  ４０…カムシャフト密閉カバー、  ５０…発電機、  ５１…回転体、  ６０…回転体カバーである第２カバー、６２…天蓋部、  ７２…吸気案内手段である空気案内通路、  ７０…回転体カバーの空気導入孔、  ７１…回転体カバーの発電機冷却風排出部。
【図１】
0004726676.tif 000002
【図２】
0004726676.tif 000003
【図３】
0004726676.tif 000004
【図４】
0004726676.tif 000005
【図５】
0004726676.tif 000006
【図６】
0004726676.tif 000007
【図７】
0004726676.tif 000008
【図８】
0004726676.tif 000009
【図９】
0004726676.tif 000010
【図１０】
0004726676.tif 000011
【図１１】
0004726676.tif 000012
【図１２】
0004726676.tif 000013